(57)【要約】【課題】  緊急番号からの外線着信を本来外線着信が想定されていない内線電話機にも着信させる。【解決手段】  外線から到来する着信情報を分析し、この分析結果が所定の条件を満たすときには、本来当該外線の着信対象ではない内線電話機が有する回線キーのいずれかに当該外線の着信を臨時に表示させ、当該回線キーの押下に応じて当該着信を当該内線電話機に臨時に接続する。臨時着信のための回線キーはその時点における空き回線キーのうちからランダムに選択したり、あるいは、日常の使用頻度に関する統計情報を基に着信を臨時に表示させる際の回線キー選択優先順位をあらかじめ設定しておき選択する。【選択図】  図１
2006319948.tif 000002
【特許請求の範囲】
【請求項１】
それぞれにダイヤルイン番号が設定された複数の内線電話機と、この内線電話機を収容し、外線から到来する着信情報に含まれるダイヤルイン番号に応じて該当する内線電話機の該当する回線キーに当該着信を表示させ、当該回線キーの押下に応じて当該着信を当該内線電話機に接続する交換制御手段を含む主装置とを備えたキーテレホンシステムにおいて、
前記主装置は、
外線から到来する着信情報を分析する着信分析手段と、
この着信分析手段の分析結果が所定の条件を満たすときには、本来当該外線の着信対象ではない内線電話機が有する回線キーのうちで空き状態の回線キーを検索し、空き状態の回線キーが検索できたときにはその回線キーのいずれかを選択して当該外線の着信を臨時に表示させる臨時着信表示手段と
を備えたことを特徴とするキーテレホンシステム。
【請求項２】
前記臨時着信表示手段は、空き状態の回線キーのいずれかをランダムに選択する手段を備えた請求項１記載のキーテレホンシステム。
【請求項３】
前記内線電話機が有する回線キーのそれぞれについてその使用頻度に関する統計情報を収集する統計情報収集手段と、
この統計情報収集手段により収集された各回線キーの使用頻度に関する統計情報に基づき各回線キーに当該使用頻度と反比例した回線キー選択優先順位を設定して記憶する臨時着信回線キー候補情報格納手段と
を備え、
前記臨時着信表示手段は、空き状態の回線キーのいずれかを選択する際に、前記臨時着信回線キー候補情報格納手段に記憶された回線キー選択優先順位に基づき空き状態の回線キーの中でその優先順位が最上位の回線キーに着信を臨時に表示させる手段を備えた
請求項１記載のキーテレホンシステム。
【請求項４】
前記着信分析手段の分析結果が所定の条件を満たすときには、本来当該外線の着信対象ではない内線電話機が有する回線キーのリストを作成するリスト作成手段を備え、
前記臨時着信表示手段は、このリスト作成手段により作成されたリストに基づき所定のルールに従って空き状態の回線キーを検索する手段を備えた
請求項１記載のキーテレホンシステム。
【請求項５】
それぞれにダイヤルイン番号が設定された複数の内線電話機と、この内線電話機を収容し、外線から到来する着信情報に含まれるダイヤルイン番号に応じて該当する内線電話機の該当する回線キーに当該着信を表示させ、当該回線キーの押下に応じて当該着信を当該内線電話機に接続する主装置とを備えたキーテレホンシステムに適用される緊急番号呼び返し着信方法において、
前記主装置は、
外線から到来する着信情報を分析する着信分析ステップと、
この着信分析ステップの分析結果が所定の条件を満たすときには、本来当該外線の着信対象ではない内線電話機が有する回線キーのうちで空き状態の回線キーを検索し、空き状態の回線キーが検索できたときにはその回線キーのいずれかを選択して当該外線の着信を臨時に表示させる臨時着信表示ステップと
を実行することを特徴とする緊急番号呼び返し着信方法。
【請求項６】
前記臨時着信表示ステップとして、空き状態の回線キーのいずれかをランダムに選択する請求項５記載の緊急番号呼び返し着信方法。
【請求項７】
前記内線電話機が有する回線キーのそれぞれについてその使用頻度に関する統計情報を収集する統計情報収集ステップと、
この統計情報収集ステップにより収集された各回線キーの使用頻度に関する統計情報に基づき各回線キーに当該使用頻度と反比例した回線キー選択優先順位を設定して記憶する臨時着信回線キー候補情報格納ステップと
を実行し、
前記臨時着信表示ステップとして、空き状態の回線キーのいずれかを選択する際に、前記臨時着信回線キー候補情報格納ステップにより記憶された回線キー選択優先順位に基づき空き状態の回線キーの中でその優先順位が最上位の回線キーに着信を臨時に表示させる
請求項５記載の緊急番号呼び返し着信方法。
【請求項８】
前記着信分析ステップによる分析結果が所定の条件を満たすときには、本来当該外線の着信対象ではない内線電話機が有する回線キーのリストを作成するリスト作成ステップを実行し、
前記臨時着信表示ステップとして、このリスト作成ステップにより作成されたリストに基づき所定のルールに従って空き状態の回線キーを検索するステップを実行する
請求項５記載の緊急番号呼び返し着信方法。
【請求項９】
それぞれにダイヤルイン番号が設定された複数の内線電話機を収容し、外線から到来する着信情報に含まれるダイヤルイン番号に応じて該当する内線電話機の該当する回線キーに当該着信を表示させ、当該回線キーの押下に応じて当該着信を当該内線電話機に接続する交換制御手段を含むキーテレホンシステムの主装置において、
外線から到来する着信情報を分析する着信分析手段と、
この着信分析手段の分析結果が所定の条件を満たすときには、本来当該外線の着信対象ではない内線電話機が有する回線キーのうちで空き状態の回線キーを検索し、空き状態の回線キーが検索できたときにはその回線キーのいずれかを選択して当該外線の着信を臨時に表示させる臨時着信表示手段と
を備えたことを特徴とする主装置。
【請求項１０】
前記臨時着信表示手段は、空き状態の回線キーのいずれかをランダムに選択する手段を備えた請求項９記載の主装置。
【請求項１１】
前記内線電話機が有する回線キーのそれぞれについてその使用頻度に関する統計情報を収集する統計情報収集手段と、
この統計情報収集手段により収集された各回線キーの使用頻度に関する統計情報に基づき各回線キーに当該使用頻度と反比例した回線キー選択優先順位を設定して記憶する臨時着信回線キー候補情報格納手段と
を備え、
前記臨時着信表示手段は、空き状態の回線キーのいずれかを選択する際に、前記臨時着信回線キー候補情報格納手段に記憶された回線キー選択優先順位に基づき空き状態の回線キーの中でその優先順位が最上位の回線キーに着信を臨時に表示させる手段を備えた
請求項９記載の主装置。
【請求項１２】
前記着信分析手段の分析結果が所定の条件を満たすときには、本来当該外線の着信対象ではない内線電話機が有する回線キーのリストを作成するリスト作成手段を備え、
前記臨時着信表示手段は、このリスト作成手段により作成されたリストに基づき所定のルールに従って空き状態の回線キーを検索する手段を備えた
請求項９記載の主装置。
【請求項１３】
情報処理装置にインストールすることにより、その情報処理装置に、請求項９ないし１２のいずれかに記載の主装置に相応する機能を実現させるプログラム。
【発明の詳細な説明】
【技術分野】
【０００１】
本発明は、ダイヤルイン着信機能を有するキーテレホンシステムに利用する。特に、１１０番（警察）や１１９番（消防）などの緊急番号からの呼び返し着信の制御技術に関する。
【背景技術】
【０００２】
メタル回線を利用するアナログ電話システムの場合には、１１０番や１１９番に電話をかけると、発信者（通報者）の電話機と着信者（警察や消防）の電話機との間の回線は着信者側の電話システムによっていったん保留される。この間は、発信者が電話機をオンフックさせても回線の保留は開放されず、必要に応じて着信者側からの呼び返しが行われる。メタル回線の場合には、電話機間の回線の電気的接続状態を保持することにより、回線の保留を行うことができる。
【０００３】
これに対し、ＩＳＤＮ回線またはＩＰ回線などのディジタル回線を利用するディジタル電話システムの場合には、電話機間には、仮想的なパスが設定されるだけであり、メタル回線のように電気的接続状態を保持することによっては回線を保留することはできない。
【０００４】
よって、このようなディジタル回線では、回線を保留するのではなく、発信者側から通知された発番号情報により発信者の電話番号を利用して折り返し発信を行う（例えば、特許文献１〜８参照）。
【０００５】
【特許文献１】特開２００１−３２０７４９号公報
【特許文献２】特開２００１−１８６２５９号公報
【特許文献３】特開平１１−５５７４２号公報
【特許文献４】特開平６−３３４７４４号公報
【特許文献５】特開平４−２９０３６４号公報
【特許文献６】特開平４−２８８７５８号公報
【特許文献７】特開平３−４０５５０号公報
【特許文献８】特開平１−２９８８４９号公報
【発明の開示】
【発明が解決しようとする課題】
【０００６】
ダイヤルイン着信機能を有するキーテレホンシステムでは、ダイヤルイン専用の回線キーのみを有し、外線に直接割り付けられている回線キーを有していない内線電話機がある。
【０００７】
このような内線電話機から１１０番や１１９番（以下では、これらを総称して緊急番号と呼ぶ）に発信した場合には、キーテレホンシステムにおいて、その時点で空いている外線を適当に選択し、内線電話機から外線への発信を可能とする。
【０００８】
ダイヤルイン専用の回線キーのみを有する内線電話機で緊急番号に発信した場合に、この内線電話機が受話器をオンフックさせて電話を切った場合には、着信側からの呼び返しに対し、この内線電話機には外線に直接割り付けられている回線キーが無いために着信表示不可となる。
【０００９】
このような問題点を解決するために、内線電話機から外線への発信の記録を保持しておき、外線からの呼び返しを当該内線電話機に着信表示させる技術がある（例えば、特許文献１、特許文献４、特許文献５、特許文献６参照）。
【００１０】
このような従来の技術は、発信を行った１台の内線電話機への緊急番号からの呼び返し着信を想定しているが、キーテレホンシステムが使用される環境は、主に会社や工場などであり、内線電話機の利用者は、１ヶ所に留まることなく、忙しく動き回っている場合が多い。
【００１１】
そのような内線電話機の使用環境を考慮したときに、緊急性の高い着信を確実に受け取るためには、発信を行った内線電話機だけではなく、その周囲の多数の内線電話機にも等しく着信が行われることが望ましいが、従来の技術では、そのような複数の内線電話機に対する着信は想定されていない。
【００１２】
また、将来のサービスとして、単なる緊急番号への発信に対する呼び返し着信ではなく、緊急番号から、例えば、地震発生に伴う津波警報の発令などのような突発的な緊急事態の発生を知らせる情報の着信があった場合に、この着信を多数の内線電話機が等しく受け取ることができることが望ましいが、従来の技術では、そのようなサービスへの対応は想定されていない。
【００１３】
本発明は、このような背景に行われたものであって、緊急番号からの外線着信を本来外線着信が想定されていない内線電話機にも着信させることができるキーテレホンシステムおよび緊急番号呼び返し着信方法を提供することを目的とする。
【課題を解決するための手段】
【００１４】
本発明の第一の観点は、それぞれにダイヤルイン番号が設定された複数の内線電話機と、この内線電話機を収容し、外線から到来する着信情報に含まれるダイヤルイン番号に応じて該当する内線電話機の該当する回線キーに当該着信を表示させ、当該回線キーの押下に応じて当該着信を当該内線電話機に接続する交換制御手段を含む主装置とを備えたキーテレホンシステムである。
【００１５】
ここで、本発明の特徴とするところは、前記主装置は、外線から到来する着信情報を分析する着信分析手段と、この着信分析手段の分析結果が所定の条件を満たすときには、本来当該外線の着信対象ではない内線電話機が有する回線キーのうちで空き状態の回線キーを検索し、空き状態の回線キーが検索できたときにはその回線キーのいずれかを選択して当該外線の着信を臨時に表示させる臨時着信表示手段とを備えたところにある。
【００１６】
これにより、例えば、緊急番号からの折り返し着信を本来外線着信が想定されていない内線電話機にも着信させることができる。
【００１７】
このときに、前記臨時着信表示手段は、空き状態の回線キーのいずれかをランダムに選択する手段を備えることができる。これによれば、制御手順が簡単なので高速に対応することができる。
【００１８】
あるいは、前記内線電話機が有する回線キーのそれぞれについてその使用頻度に関する統計情報を収集する統計情報収集手段と、この統計情報収集手段により収集された各回線キーの使用頻度に関する統計情報に基づき各回線キーに当該使用頻度と反比例した回線キー選択優先順位を設定して記憶する臨時着信回線キー候補情報格納手段とを備え、前記臨時着信表示手段は、空き状態の回線キーのいずれかを選択する際に、前記臨時着信回線キー候補情報格納手段に記憶された回線キー選択優先順位に基づき空き状態の回線キーの中でその優先順位が最上位の回線キーに着信を臨時に表示させる手段を備えることができる。
【００１９】
これによれば、日常の回線キーの使用頻度に応じて着信を臨時に表示させる回線キーを選択することができ、最も使用頻度が低い回線キーを、あらかじめ臨時着信回線キーの候補として記憶しておくことができるので、臨時着信表示の際の空き回線キーの検索時間を短縮することができる。さらに、もし、最も使用頻度が高い回線キーに臨時着信表示が行われると、当該回線キーに着信しようとするその他の一般の呼が着信不可となり、通常業務に支障を来す可能性があるが、最も使用頻度が低い回線キーに臨時着信表示が行われることにより、通常業務への影響を最小に抑えることができる。
【００２０】
また、前記着信分析手段の分析結果が所定の条件を満たすときには、本来当該外線の着信対象ではない内線電話機が有する回線キーのリストを作成するリスト作成手段を備え、前記臨時着信表示手段は、このリスト作成手段により作成されたリストに基づき所定のルールに従って空き状態の回線キーを検索する手段を備えることができる。
【００２１】
すなわち、平常時には、一つの内線電話機が有する回線キーの使用状況（空きまたは使用中）を全体的に把握している必要性は無い。よって、例えば、緊急番号からの呼び返し着信が到来した時点において、初めて回線キーのリストを作成し、このリストに基づき所定のルールに従って空き状態の回線キーを検索するようにすれば、平常時には無効となる処理を省くことができ、演算リソースおよびメモリリソースを共に有効利用することができる。
【００２２】
前記所定のルールとは、例えば、回線キー番号の若番または老番から昇順または降順に検索する、あるいは、回線キー番号をランダムに選択して検索する、あるいは、予め定められた優先順位に従って検索する、といったルールである。
【００２３】
本発明の第二の観点は、それぞれにダイヤルイン番号が設定された複数の内線電話機と、この内線電話機を収容し、外線から到来する着信情報に含まれるダイヤルイン番号に応じて該当する内線電話機の該当する回線キーに当該着信を表示させ、当該回線キーの押下に応じて当該着信を当該内線電話機に接続する主装置とを備えたキーテレホンシステムに適用される緊急番号呼び返し着信方法である。
【００２４】
ここで、本発明の特徴とするところは、前記主装置は、外線から到来する着信情報を分析する着信分析ステップと、この着信分析ステップの分析結果が所定の条件を満たすときには、本来当該外線の着信対象ではない内線電話機が有する回線キーのうちで空き状態の回線キーを検索し、空き状態の回線キーが検索できたときにはその回線キーのいずれかを選択して当該外線の着信を臨時に表示させる臨時着信表示ステップとを実行するところにある。
【００２５】
前記臨時着信表示ステップとして、空き状態の回線キーのいずれかをランダムに選択することができる。
【００２６】
あるいは、前記内線電話機が有する回線キーのそれぞれについてその使用頻度に関する統計情報を収集する統計情報収集ステップと、この統計情報収集ステップにより収集された各回線キーの使用頻度に関する統計情報に基づき各回線キーに当該使用頻度と反比例した回線キー選択優先順位を設定して記憶する臨時着信回線キー候補情報格納ステップとを実行し、前記臨時着信表示ステップとして、空き状態の回線キーのいずれかを選択する際に、前記臨時着信回線キー候補情報格納ステップにより記憶された回線キー選択優先順位に基づき空き状態の回線キーの中でその優先順位が最上位の回線キーに着信を臨時に表示させることができる。
【００２７】
また、前記着信分析ステップによる分析結果が所定の条件を満たすときには、本来当該外線の着信対象ではない内線電話機が有する回線キーのリストを作成するリスト作成ステップを実行し、前記臨時着信表示ステップとして、このリスト作成ステップにより作成されたリストに基づき所定のルールに従って空き状態の回線キーを検索するステップを実行することができる。
【００２８】
本発明の第三の観点は、それぞれにダイヤルイン番号が設定された複数の内線電話機を収容し、外線から到来する着信情報に含まれるダイヤルイン番号に応じて該当する内線電話機の該当する回線キーに当該着信を表示させ、当該回線キーの押下に応じて当該着信を当該内線電話機に接続する交換制御手段を含むキーテレホンシステムの主装置である。
【００２９】
ここで、本発明の特徴とするところは、外線から到来する着信情報を分析する着信分析手段と、この着信分析手段の分析結果が所定の条件を満たすときには、本来当該外線の着信対象ではない内線電話機が有する回線キーのうちで空き状態の回線キーを検索し、空き状態の回線キーが検索できたときにはその回線キーのいずれかを選択して当該外線の着信を臨時に表示させる臨時着信表示手段とを備えたところにある。
【００３０】
前記臨時着信表示手段は、空き状態の回線キーのいずれかをランダムに選択する手段を備えることができる。
【００３１】
あるいは、前記内線電話機が有する回線キーのそれぞれについてその使用頻度に関する統計情報を収集する統計情報収集手段と、この統計情報収集手段により収集された各回線キーの使用頻度に関する統計情報に基づき各回線キーに当該使用頻度と反比例した回線キー選択優先順位を設定して記憶する臨時着信回線キー候補情報格納手段とを備え、前記臨時着信表示手段は、空き状態の回線キーのいずれかを選択する際に、前記臨時着信回線キー候補情報格納手段に記憶された回線キー選択優先順位に基づき空き状態の回線キーの中でその優先順位が最上位の回線キーに着信を臨時に表示させる手段を備えることができる。
【００３２】
また、前記着信分析手段の分析結果が所定の条件を満たすときには、本来当該外線の着信対象ではない内線電話機が有する回線キーのリストを作成するリスト作成手段を備え、前記臨時着信表示手段は、このリスト作成手段により作成されたリストに基づき所定のルールに従って空き状態の回線キーを検索する手段を備えることができる。
【００３３】
本発明の第四の観点は、情報処理装置にインストールすることにより、その情報処理装置に、本発明の主装置に相応する機能を実現させるプログラムである。
【発明の効果】
【００３４】
本発明によれば、緊急番号からの外線着信を本来外線着信が想定されていない内線電話機にも着信させることができる。
【発明を実施するための最良の形態】
【００３５】
（第一実施例）
本発明第一実施例のキーテレホンシステムの構成を図１を参照して説明する。図１は本実施例のキーテレホンシステムの全体構成図である。
【００３６】
第一実施例は、図１に示すように、それぞれにダイヤルイン番号が設定された複数の内線電話機Ｔ１およびＴ２と、この内線電話機Ｔ１およびＴ２を収容し、外線から到来する着信情報に含まれるダイヤルイン番号に応じて該当する内線電話機Ｔ１またはＴ２の該当する回線キー♯１〜♯４に当該着信を表示させ、当該回線キー♯１〜♯４の押下に応じて当該着信を当該内線電話機Ｔ１またはＴ２に接続する交換制御部１０を含む主装置Ｍとを備えたキーテレホンシステムである。
【００３７】
ここで、第一実施例の特徴とするところは、主装置Ｍは、外線から到来する着信情報を分析する着信分析部１１を備え、交換制御部１０は、着信分析部１１の分析結果が所定の条件を満たすときには、本来当該外線の着信対象ではない内線電話機Ｔ１およびＴ２が有する回線キー♯１〜♯４のうちで空き状態の回線キーを検索し、空き状態の回線キーが検索できたときにはその回線キーのいずれかを選択して当該外線の着信を臨時に表示させる臨時着信表示手段を備えたところにある。
【００３８】
本実施例における「所定の条件」とは「緊急番号からの呼び返し着信」であるという条件である。着信分析部１１は、緊急番号テーブル１２を有し、着信情報に含まれる発番号と緊急番号テーブル１２に記録されている緊急番号（１１０番、１１９番など）とが一致する場合に「所定の条件」を満たすとする分析結果を出力する。
【００３９】
図２は内線電話機Ｔ１における回線キー毎のデータ設定内容と使用状況とを示す図である。図２の例では、回線キー♯２が使用中であり、他の回線キー♯１、♯３、♯４は空き状態であることがわかる。前記臨時着信表示手段は、空き状態の回線キーのいずれかをランダムに選択する手段を備える。
【００４０】
次に、第一実施例の緊急番号呼び返し着信方法の手順を図３を参照して説明する。図３は第一実施例の緊急番号呼び返し着信方法の手順を示すフローチャートである。主装置Ｍの着信分析部１１は、外線から着信があると（Ｓ１）、着信情報を分析する（Ｓ２）。交換制御部１０は、この着信分析ステップ（Ｓ２）の分析結果により着信情報にダイヤルインデータ設定が有れば（Ｓ３）、ダイヤルインデータ設定先回線キーへ着信表示を行う（Ｓ９）。ダイヤルインデータ設定が無くても（Ｓ３）、着信分析ステップ（Ｓ２）により緊急番号からの呼び返し着信であることが判明した場合には（Ｓ４）、本来当該外線の着信対象ではない内線電話機が有する回線キーのうちで空き状態の回線キーを検索し（Ｓ５）、空き状態の回線キーが検索できたときにはその回線キーのいずれかを選択し（Ｓ６、Ｓ７）、当該外線の着信を臨時に表示させる（Ｓ８）。なお、第一実施例では、空き状態の回線キーのいずれかをランダムに選択する（Ｓ７）。
【００４１】
（第二実施例）
第二実施例のキーテレホンシステムを図４を参照して説明する。図４は第二実施例のキーテレホンシステムのブロック構成図である。
【００４２】
第二実施例は、図４に示すように、第一実施例の構成に加えて、内線電話機Ｔ１およびＴ２が有する回線キー♯１〜♯４のそれぞれについてその使用頻度に関する統計情報を収集する統計情報収集部１３と、この統計情報収集部１３により収集された各回線キー♯１〜♯４の使用頻度に関する統計情報に基づき各回線キー♯１〜♯４に当該使用頻度と反比例した回線キー選択優先順位を設定して記憶する臨時着信回線キー候補情報格納部１４とを備え、交換制御部１０の臨時着信表示手段は、空き状態の回線キーのいずれかを選択する際に、臨時着信回線キー候補情報格納部１４に記憶された回線キー選択優先順位に基づき空き状態の回線キーの中でその優先順位が最上位の回線キーに着信を臨時に表示させる手段を備える。
【００４３】
図５は臨時着信回線キー候補情報格納部１４の記憶内容を示す図である。図５の例では、回線キー♯１が最も使用頻度が高く（３０回／１日）、回線キー♯３が最も使用頻度が低い（３回／１日）ことがわかる。この使用頻度の情報は、所定期間使用頻度を計測した統計情報であり、所定期間は、例えば、１週間である。
【００４４】
このようにして収集された統計情報を用い、使用頻度に反比例した回線キー選択優先順位を設定する。回線キー選択優先順位を使用頻度に反比例させることにより、日常、空いている確率が高い回線キーを臨時着信させる回線キーの候補とすることができるため、空き回線キーの検索時間を短縮することができると共に、使用頻度が低い回線キーに臨時着信させることにより、臨時着信中に着信不可となる一般着信の呼数を最小とすることができる。
【００４５】
次に、第二実施例の緊急番号呼び返し着信方法の手順を図６および図７を参照して説明する。図６は第二実施例の回線キー選択優先順位設定手順を示すフローチャートである。図７は第二実施例の緊急番号呼び返し着信方法の手順を示すフローチャートである。
【００４６】
第二実施例は、統計情報収集部１３により内線電話機Ｔ１およびＴ２が有する回線キー♯１〜♯４のそれぞれについてその使用頻度に関する統計情報を収集する統計情報収集ステップと、この統計情報収集ステップにより収集された各回線キー♯１〜♯４の使用頻度に関する統計情報に基づき各回線キー♯１〜♯４に当該使用頻度と反比例した回線キー選択優先順位を設定して臨時着信回線キー候補情報格納部１４に記憶する臨時着信回線キー候補情報格納ステップとを実行し、臨時着信表示ステップとして、空き状態の回線キーのいずれかを選択する際に、臨時着信回線キー候補情報格納ステップにより記憶された回線キー選択優先順位に基づき空き状態の回線キーの中でその優先順位が最上位の回線キーに着信を臨時に表示させる。
【００４７】
すなわち、図６に示すように、主装置Ｍの交換制御部１０は、所定期間内の各回線キーの使用頻度を計測し（Ｓ２０、Ｓ２１）、使用頻度の統計情報として１日の平均値を算出する（Ｓ２２）。この統計情報は、統計情報収集部１３に記憶される（Ｓ２３）。続いて、交換制御部１０は、この統計情報と反比例した回線キー選択優先順位を設定する（Ｓ２４）。この回線キー選択優先順位は、臨時着信回線キー候補情報格納部１４に記憶される（Ｓ２５）。
【００４８】
このようにして、交換制御部１０は、臨時着信の際の回線キー選択優先順位をあらかじめ設定しておき、図７に示すように、主装置Ｍの着信分析部１１は、外線から着信があると（Ｓ３０）、着信情報を分析する（Ｓ３１）。交換制御部１０は、この着信分析ステップ（Ｓ３１）の分析結果により着信情報にダイヤルインデータ設定が有れば（Ｓ３２）、ダイヤルインデータ設定先回線キーへ着信表示を行う（Ｓ３９）。ダイヤルインデータ設定が無くても（Ｓ３２）、着信分析ステップ（Ｓ３１）により緊急番号からの呼び返し着信であることが判明した場合には（Ｓ３３）、本来当該外線の着信対象ではない内線電話機が有する回線キーのうちで空き状態の回線キーを検索し（Ｓ３４〜Ｓ３７）、空き状態の回線キーが検索できたときにはその回線キーのいずれかを選択し、当該外線の着信を臨時に表示させる（Ｓ４１〜Ｓ４４）。
【００４９】
すなわち、図７に示すように、交換制御部１０は、臨時割付優先順位１番目の回線キー♯３は使用中か否か検索し（Ｓ３４）、回線キー♯３が使用中であれば臨時割付優先順位２番目の回線キー♯４は使用中か否か検索し（Ｓ３５）、回線キー♯４が使用中であれば臨時割付優先順位３番目の回線キー♯２は使用中か否か検索し（Ｓ３６）、回線キー♯２が使用中であれば臨時割付優先順位４番目の回線キー♯１は使用中か否か検索し（Ｓ３７）、使用中でない回線キーの内で優先順位が最も高い回線キーに着信を表示する。
【００５０】
なお、図６のステップＳ２２では「１日の平均値」を統計情報として算出したが、１日の中でも時間帯による使用頻度の変化を算出し、ステップＳ２４では時間帯毎に回線キー選択優先順位の設定を変化させることもできる。
【００５１】
（第三実施例）
第三実施例の緊急番号呼び返し着信方法の手順を図８および図９を参照して説明する。図８は第三実施例の緊急番号呼び返し着信方法の手順を示すフローチャートである。図９は臨時着信表示する候補のリストの例を示す図である。なお、主装置Ｍの構成は、図１と同じであるとする。
【００５２】
第三実施例では、主装置Ｍの交換制御部１０は、着信分析部１１の分析結果が所定の条件を満たすときには、本来当該外線の着信対象ではない内線電話機が有する回線キーのリスト（図９参照）を作成するリスト作成手段を備え、交換制御部１０の臨時着信表示手段は、このリスト作成手段により作成されたリストに基づき所定のルールに従って空き状態の回線キーを検索する手段を備える。
【００５３】
すなわち、図８に示すように、主装置Ｍの着信分析部１１は、外線から着信があると（Ｓ５０）、着信情報を分析する（Ｓ５１）。交換制御部１０は、この着信分析ステップ（Ｓ５１）の分析結果により着信情報にダイヤルインデータ設定が有れば（Ｓ５２）、ダイヤルインデータ設定先回線キーへ着信表示を行う（Ｓ６０）。ダイヤルインデータ設定が無くても（Ｓ５２）、着信分析ステップ（Ｓ５１）により緊急番号からの呼び返し着信であることが判明した場合には（Ｓ５３）、臨時着信表示する候補となる回線キーのリストを作成する（Ｓ５４）。
【００５４】
ここで、回線３に緊急番号からの呼び返し着信が到来したとして内線電話機Ｔ１を例に説明すると、内線電話機Ｔ１の回線キー♯１〜♯４は、いずれも回線３に直接には対応しておらず、全ての回線キー♯１〜♯４が臨時着信表示する候補となる。よって、図９に示すように、キー番号♯１〜♯４が全てリストアップされたリストが作成される。
【００５５】
図９に示すようなリストが作成されると（Ｓ５４）、最初の検索位置が設定される。図８の例では、リストの先頭であるキー番号♯１が最初の検索位置（Ｎ＝１）として設定される（Ｓ５５）。
【００５６】
当該回線キー♯１は空き状態であるか否かを判定し（Ｓ５６）、空き状態であれば当該回線キー♯１を臨時着信表示する回線キーとして決定する（Ｓ６２）。回線キー♯１が使用中であれば（Ｓ５６）、検索位置Ｎを＋１することにより、今度は、回線キー♯２を検索位置とする（Ｓ５７）。
【００５７】
当該回線キー♯２は空き状態であるか否かを判定し（Ｓ５６）、空き状態であれば当該回線キー♯２を臨時着信表示する回線キーとして決定する（Ｓ６２）。回線キー♯２が使用中であれば（Ｓ５６）、検索位置Ｎを＋１することにより、今度は、回線キー♯３を検索位置とする（Ｓ５７）。
【００５８】
当該回線キー♯３は空き状態であるか否かを判定し（Ｓ５６）、空き状態であれば当該回線キー♯３を臨時着信表示する回線キーとして決定する（Ｓ６２）。回線キー♯３が使用中であれば（Ｓ５６）、検索位置Ｎを＋１することにより、今度は、回線キー♯４を検索位置とする（Ｓ５７）。
【００５９】
当該回線キー♯４は空き状態であるか否かを判定し（Ｓ５６）、空き状態であれば当該回線キー♯４を臨時着信表示する回線キーとして決定する（Ｓ６２）。回線キー♯４が使用中であれば（Ｓ５６）、着信不可とする（Ｓ５９）。
【００６０】
第三実施例の手順によれば、緊急番号からの呼び返し着信が到来しない平常時には、回線キー♯１〜♯４の使用状況（空きまたは使用中）を把握する処理を行っていないため、平常時には無効となる処理を省くことができ、演算リソースおよびメモリリソースを有効利用することができる。
【００６１】
例えば、第一または第二実施例で用いた図２または図５のリストにおける「状態（空き、使用中）」のエントリについても緊急番号からの呼び返し着信が到来した後に、図８で示したステップＳ５４〜Ｓ５８を利用して作成することにより、平常時においては無効となる処理を省くことができる。
【００６２】
なお、ステップＳ５４〜Ｓ５８では、キー番号を若番から昇順に検索したが、キー番号を老番から降順に検索したり、あるいは、回線キー番号をランダムに選択して検索したり、あるいは、第二実施例で説明したような予め定められた優先順位に従って検索する、といったこともできる。
【００６３】
（第四実施例）
汎用の情報処理装置にインストールすることにより、その情報処理装置に第一ないし第三実施例の主装置Ｍに相応する機能を実現させるプログラムを第四実施例とする。
【００６４】
このプログラムは、記録媒体に記録されて情報処理装置にインストールされ、あるいは通信回線を介して情報処理装置にインストールされることにより当該情報処理装置に、交換制御部１０、着信分析部１１、緊急番号テーブル１２、統計情報収集部１３、臨時着信回線キー候補情報格納部１４にそれぞれ相応する機能を実現させることができる。
【００６５】
これにより、汎用の情報処理装置を用いて第一ないし第三実施例の主装置Ｍを実現することができる。
【００６６】
（第五実施例）
本実施例における以上の説明は、緊急番号への発信に対する呼び返し着信の例を説明したが、将来のサービスとして、緊急番号への発信に対する呼び返し着信ではなく、緊急番号から、例えば、地震発生に伴う津波警報の発令などのような突発的な緊急事態の発生を知らせる情報の着信サービスが実現した場合に、本実施例で説明した回線キーの臨時着信表示技術をそのまま転用することにより、平常時には、このような着信に対応していない多数の内線電話機が非常時には等しく当該着信を受け取ることができる。
【産業上の利用可能性】
【００６７】
本発明によれば、緊急番号からの呼び返し着信を複数の内線電話機に等しく着信させることができるので、緊急番号へ発信を行った内線電話機の利用者が呼び返し着信を受け漏らすことを回避することができ、利用者の利便性を向上させることができる。
【００６８】
また、将来のサービスとして、緊急番号から、例えば、地震発生に伴う津波警報の発令などのような突発的な緊急事態の発生を知らせる情報の着信サービスが実現した場合に、平常時には、このような着信に対応していない多数の内線電話機が非常時には等しく当該着信を受け取ることができるので、災害対策に利用することができる。
【図面の簡単な説明】
【００６９】
【図１】第一実施例のキーテレホンシステムのブロック構成図。
【図２】内線電話機Ｔ１における回線キーのデータ設定内容および使用状況を示す図。
【図３】第一実施例の緊急番号呼び返し着信方法の手順を示すフローチャート。
【図４】第二実施例のキーテレホンシステムのブロック構成図。
【図５】第二実施例の統計情報収集を説明するための図。
【図６】第二実施例の統計情報収集手順を示すフローチャート。
【図７】第二実施例の緊急番号呼び返し着信方法の手順を示すフローチャート。
【図８】第三実施例の緊急番号呼び返し着信方法の手順を示すフローチャート。
【図９】臨時着信表示する候補となる回線キーのリストの例を示す図。
【符号の説明】
【００７０】
１〜３  回線
♯１〜♯４  回線キー
１０  交換制御部
１１  着信分析部
１２  緊急番号テーブル
１３  統計情報収集部
１４  臨時着信回線キー候補情報格納部
Ｍ  主装置
Ｔ１、Ｔ２  内線電話機
【図１】
2006319948.tif 000003
【図２】
2006319948.tif 000004
【図３】
2006319948.tif 000005
【図４】
2006319948.tif 000006
【図５】
2006319948.tif 000007
【図６】
2006319948.tif 000008
【図７】
2006319948.tif 000009
【図８】
2006319948.tif 000010
【図９】
2006319948.tif 000011